(57)【要約】  本発明は、固視ずれのある眼鏡レンズの装用者の、固視ずれを矯正するためのアライニングプリズム量を決定するアライニングプリズム量決定装置の構成として、装用者のアライニングプリズム量を第１の距離に相当する検眼距離で測定して得られた第１のアライニングプリズム量と、第１の距離よりも短い第２の距離に相当する検眼距離で測定して得られた第２のアライニングプリズム量と、第１のアライニングプリズム量および第２のアライニングプリズム量の配分に用いる情報とに基づいて、固視ずれを矯正するために眼鏡レンズに一様に備えさせるアライニングプリズム量を、第１のアライニングプリズム量と第２のアライニングプリズム量との間のプリズム処方範囲内で決定する決定部１１を備える。
2015125847.tif 000002
【特許請求の範囲】
【請求項１】
固視ずれのある眼鏡レンズの装用者の、前記固視ずれを矯正するための眼鏡レンズを供給する眼鏡レンズ供給システムであって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するために眼鏡レンズに一様に備えさせるアライニングプリズム量を、前記第１のアライニングプリズム量と前記第２のアライニングプリズム量との間のプリズム処方範囲内で決定する決定手段を備えることを特徴とする眼鏡レンズ供給システム。
【請求項２】
前記第１のアライニングプリズム量および前記第２のアライニングプリズム量の配分に用いる情報は、前記装用者が前記眼鏡レンズの使用を予定している生活シーンに関する情報であることを特徴とする請求項１に記載の眼鏡レンズ供給システム。
【請求項３】
前記第１のアライニングプリズム量と、前記第２のアライニングプリズム量と、を入力する測定情報入力手段と、
前記生活シーンに関する情報を入力する生活シーン情報入力手段と、
を備えることを特徴とする請求項２に記載の眼鏡レンズ供給システム。
【請求項４】
前記第１のアライニングプリズム量と前記第２のアライニングプリズム量を入力するための入力用画面を表示する表示部をさらに備えることを特徴とする請求項３に記載の眼鏡レンズ供給システム。
【請求項５】
前記生活シーン情報入力手段は、あらかじめ用意された複数の生活シーンごとに、前記装用者の生活スタイルに基づく重要度の指数を示す情報を入力するものであり、
前記決定手段は、前記入力手段により入力された前記複数の生活シーンごとの前記重要度の指数を用いて、前記プリズム処方範囲内における配分を求め、この配分にしたがって前記固視ずれを矯正するためのアライニングプリズム量を決定する
ことを特徴とする請求項３または４に記載の眼鏡レンズ供給システム。
【請求項６】
前記生活シーン情報入力手段は、前記生活シーンに関する情報として、前記装用者の生活スタイルに応じた係数Ｋ（ただし、０≦Ｋ≦１．０を満たす）を入力し、
前記決定手段は、前記固視ずれを矯正するためのアライニングプリズム量の水平方向のプリズム量をＡＰＬＨ、垂直方向のプリズム量をＡＰＬＶ、前記第１のアライニングプリズム量における水平方向のプリズム量をＡＰＦ０Ｈ、前記第１のアライニングプリズム量における垂直方向のプリズム量をＡＰＦ０Ｖ、前記第２のアライニングプリズム量における水平方向のプリズム量をＡＰＮ０Ｈ、前記第２のアライニングプリズム量における垂直方向のプリズム量をＡＰＮ０Ｖとした場合に、下記数１式により、前記固視ずれを矯正するためのアライニングプリズム量を決定する
ことを特徴とする請求項３〜５のいずれかに記載の眼鏡レンズ供給システム。
【数１】
2015125847.tif 000006
【請求項７】
前記第１の距離は遠方視に相当する検眼距離であり、前記第２の距離は近方視に相当する検眼距離である請求項１〜６のいずれかに記載の眼鏡レンズ供給システム。
【請求項８】
固視ずれのある眼鏡レンズの装用者の、前記固視ずれを矯正するためのアライニングプリズム量を決定するアライニングプリズム量決定装置のコンピュータを、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、を入力した場合に、前記第１のアライニングプリズム量と前記第２のアライニングプリズム量との間のプリズム処方範囲内で、当該入力された情報に基づいて、前記固視ずれを矯正するためのアライニングプリズム量を決定する決定手段、
として機能させるための眼鏡レンズ供給システム用プログラム。
【請求項９】
固視ずれのある眼鏡レンズの装用者の、前記固視ずれを矯正するための眼鏡レンズの製造方法であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するためのアライニングプリズム量を、前記第１のアライニングプリズム量と前記第２のアライニングプリズム量との間のプリズム処方範囲内で決定するステップと、
決定された前記固視ずれを矯正するためのアライニングプリズム量を一様に備えた眼鏡レンズを製造するステップと、
を含むことを特徴とする眼鏡レンズの製造方法。
【請求項１０】
固視ずれのある眼鏡レンズの装用者の、前記固視ずれを矯正するためのプリズム量を決定するプリズム量決定装置であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するために眼鏡レンズに一様に備えさせるアライニングプリズム量を、前記第１のアライニングプリズム量と前記第２のアライニングプリズム量との間のプリズム処方範囲内で決定する決定手段を備えることを特徴とするプリズム量決定装置。
【請求項１１】
固視ずれのある眼鏡レンズの装用者の、前記固視ずれを矯正するためのアライニングプリズム量を決定するプリズム量決定方法であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するためのアライニングプリズム量を、前記第１のアライニングプリズム量と前記第２のアライニングプリズム量との間のプリズム処方範囲内で決定するステップと、
を含むことを特徴とするプリズム量決定方法。
【発明の詳細な説明】
【技術分野】
【０００１】
本発明は、眼鏡レンズ供給システム、そのプログラム、プリズム量決定装置、プリズム量決定方法および眼鏡レンズの製造方法に関する。
【背景技術】
【０００２】
眼鏡レンズで矯正する項目の一つに「固視ずれ」がある。固視ずれとは、ある物を両眼同時に見る（固視する）ときに、一方または両方の眼によって網膜の中心窩の位置に結像することができず、中心窩から少しずれた位置に結像することをいう。固視ずれは視線のずれが原因で起こる。このため、固視ずれのある人が同じ対象物を両眼視した場合は、左眼で対象物を見たときの結像位置と、右眼で対象物を見たときの結像位置とが、互いの中心窩からわずかにずれる。ただし、固視ずれによる結像位置のずれは視線の角度で数分と非常に小さいため、脳内での融像により、それらの像は一つの像として知覚される。このため、両眼視では右眼の像と左眼の像がずれて近くされることは無く、また、ほとんど像のぼやけを自覚しない。しかし、左右の眼のそれぞれの結像位置が中心窩からずれているため、両眼での視力は低下し、両眼での見え方が不安定になるのだが、そのことを本人が自覚することはほとんどない。【０００３】
また、固視ずれのある人は、眼の疲れや、頭痛、肩こりなどの身体的な苦痛を感じることが多く、その原因を病院の検査などで調べるうちに、自分に固視ずれのあることが分かる場合がある。その場合、固視ずれにともなう苦痛を解消するには、プリズム度数の異なる複数のテストレンズを使って、与えられたプリズムによって丁度固視ずれが解消されるプリズム量を測定し、このプリズム量に合わせてプリズム処方（プリズム補正）された眼鏡レンズを装用する必要がある。プリズム量に関しては、たとえば、特許文献１に記載された技術が知られている。このように装用者が丁度固視ずれが解消されるプリズム量をアライニングプリズムという。
【先行技術文献】
【特許文献】
【０００４】
【特許文献１】特開２０１０−０５２０４７号公報
【発明の概要】
【発明が解決しようとする課題】
【０００５】
ところで、固視ずれを矯正するために必要なアライニングプリズム量（以降、説明の便宜上、単に「プリズム量」とも称する。）の測定は、検眼を受ける被験者の眼の位置から測定用の指標までの距離（以下、「検眼距離」ともいう。）の違いにより、遠方視で行う場合もあれば、近方視で行う場合もある。また、アライニングプリズム量の測定は眼鏡店や眼科医院などで行っている。その場合、眼鏡店などでは遠方視または近方視のどちらか一方でプリズム量を測定し、その測定によって得られたプリズム量を処方プリズム量としてレンズメーカーなどに送ることにより、プリズム処方された眼鏡レンズを取り寄せている。【０００６】
しかしながら、一般に、遠方視で測定したアライニングプリズム量と、近方視で測定したアライニングプリズム量とは、同じ被験者であっても異なる値になる。なぜなら、近方視をする場合には両眼は輻輳して内側を向き、また、近方の距離に応じた眼の調節が行われるため、近方視と遠方視とでは物を見る際の状況が異なるからである。そのため、遠方視と近方視との間では固視ずれの状態が異なり、ひいては遠方視と近方視との間では固視ずれを矯正するためのプリズム量も異なることが多い。このため、遠方視で測定したアライニングプリズム量に合わせてプリズム処方した眼鏡レンズでは、近方視の固視ずれを適切に矯正することができない。これと反対に、近方視で測定したアライニングプリズム量に合わせてプリズム処方した眼鏡レンズでは、遠方視の固視ずれを適切に矯正することができない。【０００７】
本発明の主な目的は、従来よりも眼鏡レンズの装用者に適した処方プリズム量で固視ずれを矯正することができる技術を提供することにある。
【課題を解決するための手段】
【０００８】
上記の課題に対する対応策としては、たとえば、遠方視で測定したアライニングプリズム量をそのまま処方プリズム量とせず、装用者が眼鏡レンズを使用する目的などに応じて処方プリズム量の値を補正することが考えられる。ただし、そのような対応策では、処方プリズム量の値をどの程度補正するかが眼鏡店の店員などの感覚や経験によって決まってしまう。このため、必ずしも装用者の希望するプリズム処方の眼鏡レンズを提供できるとは限らない。【０００９】
また、別の対応策としては、眼鏡レンズの遠用部に対しては遠方視で測定したアライニングプリズム量を適用させ、眼鏡レンズの近用部に対しては近方視で測定したアライニングプリズム量を適用させる、つまり一つの眼鏡レンズに２つのプリズム量を備えさせるということも考えられる。しかしながらこの場合、遠用部と近用部の間に段差が生じざるを得なくなる。そうなると、遠方視から近方視に視線が移行する際に、像のジャンプが生じてしまい、見え方が著しく低下してしまう。【００１０】
そこで本発明者は、装用者のアライニングプリズム量を遠方視に相当する検眼距離と近方視に相当する検眼距離で別々に測定して第１のプリズム量と第２のプリズム量を取得し、第１のプリズム量と第２のプリズム量の間のプリズム処方範囲内で、装用者がどのような生活のし方の中で眼鏡を使用しているのかという装用者の生活シーンに関する情報を基に処方プリズム量を決定するという手法を想到した。そして、この処方プリズム量は、眼鏡レンズに一様に適用させるという手法を想到した。この手法により、従来よりも装用者に適したプリズム量で処方プリズム量を決定し、この処方プリズム量にしたがって装用者の固視ずれを矯正するという知見を得た。【００１１】
上記の知見に基づいて成された態様は、以下の通りである。
本発明の第１の態様は、
固視ずれのある眼鏡レンズの装用者の、前記固視ずれを矯正するための眼鏡レンズを供給する眼鏡レンズ供給システムであって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するために眼鏡レンズに一様に備えさせるアライニングプリズム量を、前記第１のアライニングプリズム量と前記第２のアライニングプリズム量との間のプリズム処方範囲内で決定する決定手段を備えることを特徴とする眼鏡レンズ供給システムである。
本発明の第２の態様は、
前記第１のアライニングプリズム量および前記第２のアライニングプリズム量の配分に用いる情報は、前記装用者が前記眼鏡レンズの使用を予定している生活シーンに関する情報であることを特徴とする上記第１の態様に記載の眼鏡レンズ供給システムである。
本発明の第３の態様は、
前記第１のアライニングプリズム量と、前記第２のアライニングプリズム量と、を入力する測定情報入力手段と、
前記生活シーンに関する情報を入力する生活シーン情報入力手段と、
を備えることを特徴とする上記第２の態様に記載の眼鏡レンズ供給システムである。
本発明の第４の態様は、
前記第１のアライニングプリズム量と前記第２のアライニングプリズム量を入力するための入力用画面を表示する表示部をさらに備えることを特徴とする上記第３の態様に記載の眼鏡レンズ供給システムである。
本発明の第５の態様は、
前記生活シーン情報入力手段は、あらかじめ用意された複数の生活シーンごとに、前記装用者の生活スタイルに基づく重要度の指数を示す情報を入力するものであり、
前記決定手段は、前記入力手段により入力された前記複数の生活シーンごとの前記重要度の指数を用いて、前記プリズム処方範囲内における配分を求め、この配分にしたがって前記固視ずれを矯正するためのアライニングプリズム量を決定する
ことを特徴とする上記第３または第４の態様に記載の眼鏡レンズ供給システムである。
本発明の第６の態様は、
前記生活シーン情報入力手段は、前記生活シーンに関する情報として、前記装用者の生活スタイルに応じた係数Ｋ（ただし、０≦Ｋ≦１．０を満たす）を入力し、
前記決定手段は、前記固視ずれを矯正するためのアライニングプリズム量の水平方向のプリズム量をＡＰＬＨ、垂直方向のプリズム量をＡＰＬＶ、前記第１のアライニングプリズム量における水平方向のプリズム量をＡＰＦ０Ｈ、前記第１のアライニングプリズム量における垂直方向のプリズム量をＡＰＦ０Ｖ、前記第２のアライニングプリズム量における水平方向のプリズム量をＡＰＮ０Ｈ、前記第２のアライニングプリズム量における垂直方向のプリズム量をＡＰＮ０Ｖとした場合に、下記数１式により、前記固視ずれを矯正するためのアライニングプリズム量を決定する
ことを特徴とする第３〜第５のいずれかに記載の眼鏡レンズ供給システムである。
【数１】
2015125847.tif 000003
本発明の第７の態様は、
前記第１の距離は遠方視に相当する検眼距離であり、前記第２の距離は近方視に相当する検眼距離であることを特徴とする第１〜第６のいずれかに記載の眼鏡レンズ供給システムである。
本発明の第８の態様は、
固視ずれのある眼鏡レンズの装用者の、前記固視ずれを矯正するためのアライニングプリズム量を決定するアライニングプリズム量決定装置のコンピュータを、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、を入力した場合に、前記第１のアライニングプリズム量と前記第２のアライニングプリズム量との間のプリズム処方範囲内で、当該入力された情報に基づいて、前記固視ずれを矯正するためのアライニングプリズム量を決定する決定手段、
として機能させるための眼鏡レンズ供給システム用プログラムである。
本発明の第９の態様は、
固視ずれのある眼鏡レンズの装用者の、前記固視ずれを矯正するための眼鏡レンズの製造方法であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するためのアライニングプリズム量を、前記第１のアライニングプリズム量と前記第２のアライニングプリズム量との間のプリズム処方範囲内で決定するステップと、
決定された前記固視ずれを矯正するためのアライニングプリズム量を一様に備えた眼鏡レンズを製造するステップと、
を含むことを特徴とする眼鏡レンズの製造方法である。
本発明の第１０の態様は、
固視ずれのある眼鏡レンズの装用者の、前記固視ずれを矯正するためのプリズム量を決定するプリズム量決定装置であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するために眼鏡レンズに一様に備えさせるアライニングプリズム量を、前記第１のアライニングプリズム量と前記第２のアライニングプリズム量との間のプリズム処方範囲内で決定する決定手段を備えることを特徴とするプリズム量決定装置である。
本発明の第１１の態様は、
固視ずれのある眼鏡レンズの装用者の、前記固視ずれを矯正するためのアライニングプリズム量を決定するプリズム量決定方法であって、
第１の距離に相当する検眼距離で測定して得られた第１のアライニングプリズム量と、第１の距離よりも短い第２の距離に相当する検眼距離で測定して得られた第２のアライニングプリズム量と、前記第１のアライニングプリズム量および前記第２のアライニングプリズム量の配分に用いる情報と、に基づいて、前記固視ずれを矯正するためのアライニングプリズム量を、前記第１のアライニングプリズム量と前記第２のアライニングプリズム量との間のプリズム処方範囲内で決定するステップと、
を含むことを特徴とするプリズム量決定方法である。
【発明の効果】
【００１２】
本発明によれば、従来よりも眼鏡レンズの装用者に適したプリズム量で固視ずれを矯正することが可能となる。
【図面の簡単な説明】
【００１３】
【図１】本発明の実施の形態に係る眼鏡レンズ供給システムの構成例を示す概略図である。
【図２】本発明の実施の形態に係る発注側装置の構成例を示す概略図である。
【図３】本発明の実施の形態に係るプリズム量決定方法を含むレンズ発注処理の手順を示すフローチャートである。
【図４】生活シーンごとに装用者の生活スタイルに基づく重要度の指数を入力した例を示す図である。
【図５】第１のプリズム量と第２のプリズム量を入力するための入力用画面の表示例を示す図である。
【図６】第１の固視ずれ量と第２の固視ずれ量を入力するための入力用画面の表示例を示す図である。
【発明を実施するための形態】
【００１４】
以下、本発明の実施の形態について図面を参照しつつ詳細に説明する。
本発明の実施の形態においては、次の順序で説明を行う。
１．眼鏡レンズ供給システムの構成
２．発注側装置の構成
３．プリズム量決定方法を含むレンズ発注処理の手順
４．実施の形態の効果
５．他の実施の形態
６．変形例等
【００１５】
＜１．眼鏡レンズ供給システムの構成＞
図１は本発明の実施の形態に係る眼鏡レンズ供給システムの構成例を示す概略図である。
図示した眼鏡レンズ供給システム１は、発注側装置２と受注側装置３とを、通信網４により相互に通信可能に接続した構成となっている。発注側装置２は、たとえば、眼鏡店に設置して使用されるものであり、受注側装置３は、たとえば、眼鏡レンズの製造工場などに設置して使用されるものである。通信網４は、たとえば、インターネット、専用回線などによって構成されるものである。この眼鏡レンズ供給システム１においては、眼鏡レンズの発注に必要な情報が通信網４を介して受注側装置３に送られる。そして、受注側装置３においては、受信した情報を用いて必要なレンズ加工が行われ、最終的に検査等を経て良品と判断された眼鏡レンズが発注元の眼鏡店に納品される。レンズ加工としては、たとえば、レンズの光学面の研磨加工や枠入れのための玉型加工などがある。
【００１６】
上記構成の眼鏡レンズ供給システム１において、発注側装置２と受注側装置３の対応関係は、１：１の対応関係、ｍ：１の対応関係（ｍは２以上の自然数）、１：ｎの対応関係（ｎは２以上の自然数）、ｍ：ｎの対応関係のうち、いずれの対応関係であってもよい。また、発注側装置２と受注側装置３とは、同じ国内に設置されていてもよいし、異なる国に設置されていてもよい。さらに、図示はしないが、通信網４に各種のサーバ（たとえば、データサーバなど）を接続し、このサーバと発注側装置２または受注側装置３との間で、必要に応じて、データのやり取りを行う構成としてもよい。
【００１７】
＜２．発注側装置の構成＞
発注側装置２は、本発明に係る「プリズム量決定装置」の一例として設けられたものである。発注側装置２は、コンピュータのハードウェア資源によって構成されるものであって、入力部５と、コンピュータ部６と、表示部７と、を備えている。入力部５は、発注側装置２に各種のデータ（情報）を入力するためのものである。入力部５は、たとえば、キーボード、マウス、タッチパネルなどの入力操作機器、あるいは携帯型端末や携帯型記憶装置（ＵＳＢメモリなど）からのデータ入力を受け付ける入出力インターフェースなどを用いて構成することができる。入力部５は、本発明における「測定情報入力手段」および「生活シーン情報入力手段」を構成するものである。このうち、測定情報入力手段により入力される測定情報には、装用者のアライニングプリズム量を遠方視に相当する検眼距離で測定して得られた第１のプリズム量と、近方視に相当する検眼距離で測定して得られた第２のプリズム量とがある。また、生活シーン情報入力手段により入力される生活シーン情報には、装用者が前記眼鏡レンズの使用を予定している生活シーンに関する情報がある。各々の情報の詳細については後段で記述する。
表示部７は、眼鏡レンズを装用中または装用予定の装用者（以下、単に「装用者」ともいう。）や、眼鏡店の店員などに対して各種の情報を表示するためのものである。表示部７は、たとえば、液晶表示装置、有機ＥＬ表示装置などを用いて構成することができる。
【００１８】
（コンピュータ部）
コンピュータ部６は、コンピュータのハードウェア資源の一つであるＣＰＵ（Central Processing Unit）、ＲＯＭ（Read Only Memory）、ＲＡＭ（Random Access Memory）、ＨＤＤ（Hard Disk Drive）等を用いて構成されるものである。
【００１９】
コンピュータ部６は、図２に示すように、決定部１１と、出力部１２と、発注処理部１３と、記憶部１４と、を備えている。各々の機能部は、上述したコンピュータのハードウェア資源を用いて実現されるものである。上述したコンピュータ部６の各機能部は、たとえば、ＲＯＭまたはＨＤＤに記憶されたプログラムをＣＰＵがＲＡＭに読み出して実行することにより実現されるものである。その場合、プログラムは、本発明の一態様として抽出することが可能である。
【００２０】
（決定部）
決定部１１は、入力部５により入力された各種の情報に基づいて、処方プリズム量を決定するものである。処方プリズム量とは、固視ずれのある装用者が眼鏡レンズの装用によって固視ずれを矯正する場合に、この眼鏡レンズの処方に適用するプリズム量、つまり固視ずれを矯正するためのアライニングプリズム量をいう。固視ずれのない装用者の場合は、処方プリズム量の値がゼロとなるが、固視ずれのある装用者の場合は、処方プリズム量の値（絶対値）がゼロよりも大きい値となる。また、処方プリズム量に応じてプリズム処方された眼鏡レンズは、処方プリズム量に応じてプリズムが組み込まれたレンズ（プリズムレンズ）になる。そしてこのプリズム量は、レンズに一様に適用されるべきプリズム量である。こうすることにより、眼鏡レンズの遠用部と近用部との間に段差を形成せずにすむ。
なお、上記の固視ずれは、公知の測定で得られた固視ずれを用いて構わない。
【００２１】
（出力部）
出力部１２は、装用者に推奨する眼鏡レンズのタイプを出力するものである。具体的な出力形態としては、表示出力、印刷出力、音声出力などが考えられる。また、出力部１２が推奨タイプを出力する対象（出力先）としては、表示部７が一例として挙げられる。本発明の実施の形態においては、眼鏡レンズの推奨タイプが出力部１２からの出力指示にしたがって表示部７の画面にテキスト、イラスト、写真、画像、映像（動画）などによって表示出力されるものとする。
【００２２】
（発注処理部）
発注処理部１３は、眼鏡レンズの発注処理を行うものである。具体的には、発注処理部１３は、入力部５により入力された情報の中から眼鏡レンズの発注に必要な情報を抽出し、この情報を通信網４を介して受注側装置３に送信する処理を行う。また、発注処理部１３は、最終的に眼鏡店の店員が装用者の同意を得て決定（確定）した推奨タイプの眼鏡レンズを特定する情報（メーカー、種類など）を、通信網４を介して受注側装置３に送信する処理を行う。
【００２３】
（記憶部）
記憶部１４は、発注側装置２で取り扱う種々のデータを記憶するために用いられるものである。記憶部１４に記憶されるデータには、入力部５により入力される第１のプリズム量や第２のプリズム量、装用者の生活シーンに関する情報などが含まれる。これらの情報は、決定部１１が固視ずれを矯正するためのアライニングプリズム量を決定するときに参照される。
【００２４】
＜３．プリズム量決定方法を含むレンズ発注処理の手順＞
図３は本発明の実施の形態に係るプリズム量決定方法を含むレンズ発注処理の手順を示すフローチャートである。
【００２５】
（プリズム量の測定）
まず、眼鏡レンズの装用者の固視ずれを補正するためのアライニングプリズム量を測定する（Ｓ１）。ここで記述するプリズム量は、レンズメーター等を用いて測定される眼鏡レンズのプリズム量ではなく、眼鏡レンズを装用中または装用予定の装用者を被験者として検眼することにより得られるプリズム量をいう。この装用者の固視ずれを補正するためのアライニングプリズム量の測定には、公知の測定方法を用いることができる。以下に、公知の測定方法の一つを説明する。
【００２６】
まず、装用者の固視ずれを補正するためのアライニングプリズム量の測定には、プリズム度数の異なる複数のテストレンズを使用する。各々のテストレンズは、テストフレームに対して着脱自在に構成されている。そこで、テストフレームに装着するテストレンズを適宜交換しながら、固視ずれを補正するためのアライニングプリズム量の測定に用いる指標を装用者に見せる。この指標には、左右の両眼に提示される指標と、左右眼に別々に提示される指標が含まれている。左右眼に別々に指標を提示するには、左右眼に異なる画像提示が可能な立体表示の可能なコンピュータディスプレイを用いる方法がある。簡易的に左右眼に別々に指標を提示する方法としては、左右眼に共通して提示する指標を黒色で提示し、右眼だけに提示する指標を緑色で表示し、左眼にだけ提示する指標を赤色で提示し、テストフレームの右眼側に赤色のカラーフィルターを装着し、左眼側には緑色のカラーフィルターを装着する方法がある。この場合、右眼だけに提示する指標は緑色で提示されていて、これを右眼側に装着された赤色のカラーフィルターを通して見ると黒色に見える。一方、左眼側には緑色のカラーフィルターが装着されているため、緑色で提示された右眼だけに提示する指標は白や薄いグレーの背景の色と区別ができないために見えない。このとき、装用者に固視ずれがあるかどうかによって指標の見え方が変わる。すなわち、固視ずれのない人がプリズム度数の入っていないテストレンズを通して指標を見た場合に、装用者には本来あるべき位置に指標が見える。その場合は、装用者のプリズム量が、実質ゼロとして測定される。これに対して、固視ずれのある人がプリズム度数の入っていないテストレンズを通して指標を見た場合は、装用者には、左右眼に別々に提示された指標が本来あるべき位置に指標が見えず、そこからずれた位置に指標が見える。その場合は、幾つかのテストレンズを使って見え方の確認を行い、固視ずれのある装用者が本来あるべき位置に指標が見える様になるテストレンズを特定する。そして、特定したテストレンズのプリズム度数を、装用者のプリズム量として読み出す。プリズム量の測定は、水平方向（左右方向）と垂直方向（上下方向）の各々について行う。
【００２７】
本発明の実施の形態においては、上述のように例示した固視ずれを補正するためのアライニングプリズム量の測定を２つのステップに分けて行う。まず、第１のステップでは、遠方視に相当する検眼距離で装用者のアライニングプリズム量を測定することにより、第１のプリズム量を得る。検眼距離とは、被験者の眼の位置からアライニングプリズム量の測定に用いる指標までの距離（直線距離）をいう。遠方視に相当する検眼距離とは、アライニングプリズム量の測定に用いる指標を被験者が両眼で見たときに、被験者の両眼の視線がほぼ平行になる状態で指標を見ることができる距離であって、おおむね３〜６ｍの範囲内の距離をいう。このような検眼距離で装用者のプリズム量を測定することにより、上述した第１のプリズム量を得る。この時、アライニングプリズム量は、水平方向のプリズムと垂直方向のプリズムに分けて測定する。以降の説明では、第１のプリズム量の水平方向のプリズム量をＡＰＦ０Ｈとし、垂直方向のプリズム量をＡＰＦ０Ｖとする。
【００２８】
次に、第２のステップでは、近方視に相当する検眼距離で装用者の固視ずれを補正するためのアライニングプリズム量を測定することにより、第２のプリズム量を得る。近方視に相当する検眼距離は、アライニングプリズム量の測定に用いる指標を被験者が両眼で見たときに、被験者の両眼の視線が互いに内側に寄った状態（内寄せした状態）で指標を見る距離であって、おおむね３０ｃｍ〜５０ｃｍの範囲内の距離をいう。近方視に相当する検眼距離は、上述した遠方視に相当する検眼距離よりも短い距離となる。このような短い検眼距離で装用者のプリズム量を測定することにより、第２のプリズム量を得る。この時、アライニングプリズム量は、水平方向のプリズムと垂直方向のプリズムに分けて測定する。以降の説明では、第２のプリズム量の水平方向のプリズム量をＡＰＮ０Ｈとし、垂直方向のプリズム量をＡＰＮ０Ｖとする。尚、近方視に相当する検眼距離での測定では、装用者が老視の場合には必要な近方視のための度数を与えて行う必要がある。
【００２９】
（データ入力）
次に、上記の測定によって得られた第１のプリズム量ＡＰＦ０Ｈ、ＡＰＦ０Ｖと第２のプリズム量ＡＰＮ０Ｈ、ＡＰＮ０Ｖの各値を、眼鏡レンズの発注に必要な他の情報（たとえば、眼鏡レンズの加入度（遠用度数、近用度数）、乱視軸などを含むレンズ処方情報、眼鏡フレームの種類、材質、サイズ、枠形状データなどを含むフレーム情報、眼鏡レンズと眼鏡フレームの位置合わせに用いるレイアウト情報）とあわせて、発注側装置２の入力部５からデータ入力する（Ｓ２）。通常、固視ずれを補正するためのアライニングプリズムは、水平方向のプリズムと垂直方向のプリズムに分けて測定され、また、それぞれのプリズム量は左眼と右眼に２分割される。水平方向のプリズムはプリズム値の後にＩＮもしくはＯＵＴの方向を示す記号を付加し、垂直方向のプリズムはプリズム値の後にＵＰもしくはＤＯＷＮの方向を示す記号を付加してプリズの方向を識別する。一例としてプリズム量のデータ入力について説明する。プリズム量のデータ入力は、たとえば図５に示すような入力用画面を表示部７に表示し、この入力用画面を見ながら操作者（眼鏡店員など）がプリズム量の入力欄２１，２２をマウス等で順に選んで、対応するプリズム値と方向を示す記号をキーボード等で入力する構成とすればよい。図中の遠方視プリズム量は、遠方視に相当する検眼距離で装用者のプリズム量を測定することにより得られる第１のプリズム量ＡＰＦ０に相当し、図中の近方視プリズム量は、近方視に相当する検眼距離で装用者のプリズム量を測定することにより得られる第２のプリズム量ＡＰＮ０に相当する。このとき、データ入力に必要なプリズム量の測定が眼鏡店から離れた場所で行われる場合は、データ入力に先立って、その測定場所からファクシミリ、電子メール等の通信手段によって眼鏡店の通信機器に測定結果を通知するようにしてもよい。
また、入力部５からは、装用者が眼鏡レンズの使用を予定している生活シーンに関する情報を入力する。具体的には、あらかじめ用意された複数の生活シーンごとに、装用者の生活スタイルに基づく重要度の指数を示す情報を入力する。本発明の実施の形態においては、一例として以下の（１）〜（６）に記述する６つの生活シーンごとに、装用者の生活スタイルに基づく重要度の指数を示す情報を入力するものとする（図４参照）。
（１）自動車を運転するシーン
（２）屋外スポーツ（テニス、スキーなど）をするシーン
（３）ハイキング（ウォーキング）をするシーン
（４）読書をするシーン
（５）パーソナルコンピュータを操作するシーン
（６）料理をするシーン
このうち、（１）〜（３）は主に遠方視で物を見る生活シーンであり、（４）〜（６）は主に近方視で物を見る生活シーンである。あらかじめ用意する生活シーンの数は、遠方視と近方視でほぼ同数とするのがよい。
【００３０】
また、装用者の生活スタイルに基づく重要度の指数に関しては、上述した６つの生活シーンごとに、その重要度の高低に応じて「０（低い）」、「１（中程度）」、「２（高い）」の３つにランク分けし、いずれかの指数を入力するものとする。実際にいずれの指数を入力するかは、眼鏡店の店員などが装用者にアンケート形式などで生活スタイルを確認し、この確認結果に基づいて決めればよい。たとえば、上記（３）の読書をするシーンに関しては、次のような判断基準で重要度の指数を入力する。すなわち、装用者の趣味が読書であって、日常的に眼鏡レンズを装用して読書をする機会が多い人であれば、重要度の指数を「２」と入力する。また、趣味が読書ではあっても、ときどきしか読書をしない人であれば、重要度の指数を「１」と入力し、それ以外（ほとんど読書をしない人）であれば、重要度の指数を「０」と入力する。
【００３１】
上述のように各種のデータ（情報）を入力部５から入力すると、この入力されたデータを用いてコンピュータ部６が以下の処理を行う。
【００３２】
（プリズム量の決定）
すなわち、決定部１１は、入力部５から入力されたデータを用いて、固視ずれを矯正するためのアライニングプリズム量を決定する（ステップＳ３）。この固視ずれを矯正するためのアライニングプリズム量（以下、単に「処方プリズム量」ともいう。）の水平方向のプリズム量をＡＰＬＨとし、垂直方向のプリズム量をＡＰＬＶとする。決定部１１は、上述した第１の水平方向のプリズム量ＡＰＦ０Ｈと第２の水平方向のプリズム量ＡＰＮ０Ｈとの間のプリズム処方範囲内で水平方向の処方プリズム量ＡＰＬＨを決定し、また、第１の垂直方向のプリズム量ＡＰＦ０Ｖと第２の垂直方向のプリズム量ＡＰＮ０Ｖとの間のプリズム処方範囲内で、垂直方向の処方プリズム量ＡＰＬＶを決定する。プリズム処方範囲とは、第１のプリズム量ＡＰＦ０ＨおよびＡＰＦ０Ｖと第２のプリズム量ＡＰＮ０ＨおよびＡＰＮ０Ｖのうち、水平方向と垂直方向のそれぞれのプリズム量について相対的にプリズム量の大きい方を最大値、小さい方を最小値とした場合の、最小値から最大値までのプリズム量の範囲（最小値、最大値を含む）をいう。この水平方向と垂直方向のそれぞれのプリズム処方範囲内においては、上述した複数の生活シーンごとの重要度の指数を用いて、プリズム処方範囲内における配分（後述）を求め、この配分にしたがって水平方向と垂直方向のそれぞれの処方プリズム量ＡＰＬＨとＡＰＬＶを決定する。以下に、具体的な数式を使った処方プリズム量ＡＰＬＨとＡＰＬＶの決定方法の一例について説明する。
【００３３】
まず、説明の前提として、上述した６つの生活シーンのうち、主に遠方視で物を見る生活シーンについては、重要度の指数（０，１，２）をＦ１、Ｆ２、Ｆ３で入力し、主に近方視で物を見る生活シーンについては、重要度の指数をＮ１、Ｎ２、Ｎ３で入力するものとする。そうした場合、決定部１１は、以下の数２式に基づいて処方プリズム量ＡＰＬＨとＡＰＬＶを決定する。
【００３４】
【数２】
2015125847.tif 000004
【００３５】
ちなみに、上述したプリズム処方範囲内における配分とは、プリズム処方範囲内で処方プリズム量ＡＰＬＨとＡＰＬＶを決定するときに、遠方視で測定した第１のプリズム量ＡＰＦ０ＨおよびＡＰＦ０Ｖの重みの割合を示す係数ＫＦの値、および、近方視で測定した第２のプリズム量ＡＰＮ０ＨおよびＡＰＮ０Ｖの重みの割合を示す係数ＫＮの値を意味する。図４に示す例では、ＫＦ＝１／３、ＫＮ＝２／３となる。このため、第１のプリズム量の水平方向のプリズム量ＡＰＦ０Ｈが３Δ（prism diopter）で、第２のプリズム量の水平方向のプリズム量ＡＰＮ０Ｈが２Δであった場合は、ＡＰＦ１Ｈの値が３／３、ＡＰＮ１Ｈの値が４／３となる。よって、水平方向の処方プリズム量ＡＰＬＨの値は計算上、７／３と求まる。また、第１のプリズム量の垂直方向のプリズム量ＡＰＦ０Ｖが１Δ（prism diopter）で、第２のプリズム量の垂直方向のプリズム量ＡＰＮ０Ｖが１．５Δであった場合は、ＡＰＦ１Ｖの値が１／３、ＡＰＮ１Ｖの値が３／６となる。よって、水平方向の処方プリズム量ＡＰＬＨの値は計算上、４／６と求まる。眼鏡レンズの製造上、処方プリズム量としてとり得る値が一定の間隔で決まっている場合は、その中から計算で求めたＡＰＬＨおよびＡＰＬＶの値に最も近い値を処方プリズム量に決定すればよい。眼鏡レンズを注文するときには、このようにして得られた水平方向と垂直方向の処方プリズムは、それぞれ右眼の処方プリズム値と左眼の処方プリズム値とに２分割されて注文されることが、眼科、眼鏡店、眼鏡レンズメーカーの間では常識として行われている。
【００３６】
（推奨タイプを出力）
次に、出力部１２は、入力部５から入力されたデータに基づいて、装用者に推奨する眼鏡レンズのタイプを出力する（Ｓ４）。具体的には、眼鏡レンズの推奨タイプを装用者に提示すべく、表示部７の画面に推奨タイプをテキスト、イラストなどで表示出力させる。眼鏡レンズの推奨タイプとして出力する内容には、少なくとも眼鏡レンズの種類（近視用レンズ、遠視用レンズ、遠近両用レンズ、乱視用レンズ、球面レンズ、非球面レンズなど）に関する情報が含まれる。また、これ以外にも、必要に応じて、眼鏡レンズの処方度数、処方プリズム量、レンズ材料、レンズ厚などに関する情報をあわせて出力してもよい。
【００３７】
（発注処理）
次に、発注処理部１３は、表示部７に表示された眼鏡レンズの推奨タイプを変更する操作が入力部５で行われたかどうかを確認する（Ｓ５）。そして、この操作が行われた場合は、上記ステップＳ２のデータ入力を再度行った後、プリズム量の決定と推奨タイプの出力を行う。
【００３８】
次に、発注処理部１３は、表示部７に表示された眼鏡レンズの推奨タイプで発注を確定する旨の操作が入力部５で行われたどうか確認する（Ｓ６）。そして、この操作が行われた場合は、眼鏡レンズの発注データを、通信網４を介して受注側装置３に送信する（Ｓ７）。このとき、固視ずれのある装用者であれば、その固視ずれを矯正するために必要な水平方向と垂直方向の処方プリズム量ＡＰＬＨ、ＡＰＬＶの値が処方値の情報として発注側装置２から受注側装置３に送られる。このため、受注側装置３から発注側装置２に納入される眼鏡レンズは、装用者の水平方向と垂直方向の処方プリズム量ＡＰＬＨ、ＡＰＬＶに基づいてプリズム処方されたレンズになる。
【００３９】
（眼鏡レンズの製造）
その後、受注側において、決定された前記固視ずれを矯正するためのアライニングプリズム量を一様に備えた眼鏡レンズを製造する。なお、製造手法は公知の手法を用いればよい。
【００４０】
＜４．実施の形態の効果＞
本発明の実施の形態によれば、装用者の固視ずれを補正するためのアライニングプリズム量を遠方視に相当する検眼距離と近方視に相当する検眼距離で別々に測定して第１のプリズム量の水平方向のプリズム量ＡＰＦ０Ｈと第１のプリズム量の垂直方向のプリズム量ＡＰＦ０Ｖと第２のプリズム量の水平方向のプリズム量ＡＰＮ０Ｈと第２のプリズム量の垂直方向のプリズム量ＡＰＮ０Ｖを取得し、水平方向の第１のプリズム量ＡＰＦ０Ｈと水平方向の第２のプリズム量ＡＰＮ０Ｈの間のプリズム処方範囲内で、また、垂直方向の第１のプリズム量ＡＰＦ０Ｖと垂直方向の第２のプリズム量ＡＰＮ０Ｖの間のプリズム処方範囲内で、生活シーンに関する情報を基に水平方向の処方プリズム量ＡＰＬＨと垂直方向の処方プリズム量ＡＰＬＶを決定する構成を採用している。このため、従来よりも装用者に適したプリズム量で処方プリズム量ＡＰＬＨ、ＡＰＬＶを決定し、この処方プリズム量ＡＰＬＨ、ＡＰＬＶにしたがって装用者の固視ずれを矯正することができる。以下に具体例を挙げてその技術的な根拠を説明する。
【００４１】
一般に、固視ずれのある人を被験者として固視ずれを矯正するためのアライニングプリズム量を測定した場合、その測定を遠方視に相当する検眼距離で行った場合と近方視に相当する検眼距離で行った場合とでは、測定によって得られるアライニングプリズム量が異なる。従来においては、遠方視または近方視のどちらか一方でアライニングプリズム量を測定し、この測定結果に基づいて処方プリズム量を決定している。このため、たとえば、遠方視で測定したアライニングプリズム量をそのまま処方プリズム量として決定した場合は、近方視や中間視で眼鏡レンズを装用する機会が多い装用者にとって、適切なプリズム処方の眼鏡レンズにならない場合があり。また仮に、装用者が眼鏡レンズをどのような用途で使用するかを眼鏡店の店員が確認し、この結果を踏まえて処方プリズム量を人為的に調整するとしても、適切な対応は困難である。その理由は、次のとおりである。すなわち、遠方視または近方視のどちらか一方でアライニングプリズム量を測定しただけでは、遠方視で測定したアライニングプリズム量と近方視で測定したアライニングプリズム量との大小関係が分からない。このため、測定によって得られた遠方視のアライニングプリズム量をどのように調整（加減）すれば装用者に適した処方プリズム量になるのか特定することができない。また、遠方視で測定したアライニングプリズム量と近方視で測定したアライニングプリズム量との大小関係に一定の傾向があるとしても、その差が実際にどの程度になるかについては個人差がある。よって、適切な対応は困難である。
【００４２】
これに対して、本発明の実施の形態においては、第１のプリズム量の水平方向のプリズム量ＡＰＦ０Ｈと第１のプリズム量の垂直方向のプリズム量ＡＰＦ０Ｖと第２のプリズム量の水平方向のプリズム量ＡＰＮ０Ｈとの間のプリズム処方範囲内で、また、垂直方向の第１のプリズム量ＡＰＦ０Ｖと垂直方向の第２のプリズム量ＡＰＮ０Ｖの間のプリズム処方範囲内で、処方プリズム量ＡＰＬを決定している。このため、仮に、第１のプリズム量の水平方向のプリズム量ＡＰＦ０Ｈが４Δ（prism diopter）で、第２のプリズム量の水平方向のプリズム量ＡＰＮ０Ｈが２Δであった場合、水平方向の処方プリズム量ＡＰＬＨは、２Δ以上、４Δ以下の処方範囲内で決定されることになる。垂直方向のプリズムについての処方範囲についても同様である。また、この処方範囲内における配分については、装用者が眼鏡レンズの使用を予定している生活シーンに関する情報から、装用者の生活スタイルに基づく重要度の指数に基づいて配分を求めている。このため、装用者の生活スタイルに適した配分で水平方向の処方プリズム量ＡＰＬＨおよび垂直方向の処方プリズム量ＡＰＬＶを決定することができる。以下に具体例を記述する。
【００４３】
（第１の具体例）
装用者の生活スタイルから遠方視と近方視の重要度が均等である場合は、上述した数式におけるＫＦの値が０．５、ＫＮの値が０．５となる。数式２に従って、遠方視における水平方向のアライニングプリズム量ＡＰＦ０Ｈが３ΔのときＡＰＦ１Ｈは１．５Δとなり、近方視における水平方向のアライニングプリズム量ＡＰＮ０Ｈが２ΔのときＡＰＮ１Ｈは１Δとなる。この結果、水平方向の処方プリズム量ＡＰＬＨは２．５Δと決定される。垂直方向のアライニングプリズムも同様に、遠方視における垂直方向のアライニングプリズム量ＡＰＦ０Ｖが１ΔのときＡＰＦ１Ｖは０．５Δとなり、近方視における垂直方向のアライニングプリズム量ＡＰＮ０Ｖが０．５ΔのときＡＰＮ１Ｖは０．２５Δとなる。この結果、垂直方向の処方プリズム量ＡＰＬＶは０．７５Δと決定される。
この水平方向の処方プリズム量ＡＰＬＨは、水平方向の第１のプリズム量ＡＰＦ０Ｈである３Δと水平方向の第２のプリズム量ＡＰＮ０Ｈである２Δとの間のプリズム処方範囲内で、ちょうど中間の値となる。また、垂直方向の処方プリズム量ＡＰＬＶは、垂直方向の第１のプリズム量ＡＰＦ０Ｖである１Δと垂直方向の第２のプリズム量ＡＰＮ０Ｖである０．５Δとの間のプリズム処方範囲内で、ちょうど中間の値となる。このため、遠方視と近方視の重要度が均等である装用者の生活スタイルに適した処方プリズム量となる。
【００４４】
（第２の具体例）
装用者の生活スタイルから遠方視の重要度が相対的に高い場合は、たとえば、上述した数式におけるＫＦの値が０．７、ＫＮの値が０．３となる。数式２に従って、遠方視における水平方向のアライニングプリズム量ＡＰＦ０Ｈが３ΔのときＡＰＦ１Ｈは２.１Δとなり、近方視における水平方向のアライニングプリズム量ＡＰＮ０Ｈが２ΔのときＡＰＮ１Ｈは０．６Δとなる。この結果、水平方向の処方プリズム量ＡＰＬＨは２．７Δと決定される。垂直方向のアライニングプリズムも同様に、遠方視における垂直方向のアライニングプリズム量ＡＰＦ０Ｖが１ΔのときＡＰＦ１Ｖは０．７Δとなり、近方視における垂直方向のアライニングプリズム量ＡＰＮ０Ｖが０．５ΔのときＡＰＮ１Ｖは０．１５Δとなる。この結果、垂直方向の処方プリズム量ＡＰＬＶは０．８５Δと決定される。
この水平方向の処方プリズム量ＡＰＬＨは、水平方向の第１のプリズム量ＡＰＦ０Ｈである３Δと水平方向の第２のプリズム量ＡＰＮ０Ｈである２Δとの間のプリズム処方範囲内で、水平方向の第１のプリズム量（遠方視で測定したプリズム量）ＡＰＦ０Ｈに、より近い値となる。また、垂直方向の処方プリズム量ＡＰＬＶは、垂直方向の第１のプリズム量ＡＰＦ０Ｖである１Δと垂直方向の第２のプリズム量ＡＰＮ０Ｖである０．５Δとの間のプリズム処方範囲内で、垂直方向の第１のプリズム量（遠方視で測定したプリズム量）ＡＰＦ０Ｖに、より近い値となる。このため、遠方視の重要度が相対的に高い装用者の生活スタイルに適した処方プリズム量となる。
【００４５】
（第３の具体例）
装用者の生活スタイルから近方視の重要度が相対的に高い場合は、たとえば、上述した数式におけるＫＦの値が０．２、ＫＮの値が０．８となる。数式２に従って、遠方視における水平方向のアライニングプリズム量ＡＰＦ０Ｈが３ΔのときＡＰＦ１Ｈは０．６Δとなり、近方視における水平方向のアライニングプリズム量ＡＰＮ０Ｈが２ΔのときＡＰＮ１Ｈは１．６Δとなる。この結果、水平方向の処方プリズム量ＡＰＬＨは２．２Δと決定される。垂直方向のアライニングプリズムも同様に、遠方視における垂直方向のアライニングプリズム量ＡＰＦ０Ｖが１ΔのときＡＰＦ１Ｖは０．２Δとなり、近方視における垂直方向のアライニングプリズム量ＡＰＮ０Ｖが０．５ΔのときＡＰＮ１Ｖは０．４Δとなる。この結果、垂直方向の処方プリズム量ＡＰＬＶは０．６Δと決定される。
この水平方向の処方プリズム量ＡＰＬＨは、水平方向の第１のプリズム量ＡＰＦ０Ｈである３Δと水平方向の第２のプリズム量ＡＰＮ０Ｈである２Δとの間のプリズム処方範囲内で、水平方向の第２のプリズム量（近方視で測定したプリズム量）ＡＰＮ０Ｈに、より近い値となる。また、垂直方向の処方プリズム量ＡＰＬＶは、垂直方向の第１のプリズム量ＡＰＦ０Ｖである１Δと垂直方向の第２のプリズム量ＡＰＮ０Ｖである０．５Δとの間のプリズム処方範囲内で、垂直方向の第２のプリズム量（近方視で測定したプリズム量）ＡＰＦ０Ｖに、より近い値となる。
このため、近方視の重要度が相対的に高い装用者の生活スタイルに適した処方プリズム量となる。
【００４６】
＜５．他の実施の形態＞
続いて、本発明の他の実施の形態について説明する。
この実施の形態においては、先述した実施の形態と比較して、処方プリズム量を決定するために入力する、装用者の生活シーンに関する情報の具体的な内容と、この情報に基づく処方プリズム量の決定方法が異なる。
【００４７】
まず、装用者の生活シーンに関する情報としては、装用者の生活スタイルに応じた係数Ｋ（ただし、０≦Ｋ≦１．０を満たす）を入力部５から入力する構成となっている。係数Ｋは、装用者の生活スタイルに応じて処方プリズム量を決定するための重み係数となる。この係数Ｋに関しては、眼鏡店の店員、より好ましくは、眼科医や検眼士などの資格を有する者が、装用者の眼鏡レンズの用途を確認し、その内容を考慮して入力部５から入力するものとすればよい。
【００４８】
また、決定部１１においては、上述したとおり固視ずれを矯正するための水平方向のアライニングプリズム量をＡＰＬＨ、垂直方向のアライニングプリズム量をＡＰＬＶとし、水平方向の第１のプリズム量をＡＰＦ０Ｈ、水平方向の第２のプリズム量をＡＰＮ０Ｈとし、垂直方向の第１のプリズム量をＡＰＦ０Ｖ、垂直方向の第２のプリズム量をＡＰＮ０Ｖとした場合に、下記の数１式により、固視ずれを矯正するためのプリズム量を決定する構成となっている。
【数１】
2015125847.tif 000005
【００４９】
このような構成を採用した場合は、装用者の生活スタイルに合わせて処方プリズム量を決定し、これに基づいてプリズム処方した眼鏡レンズを提供することができる。
すなわち、装用者の生活スタイルから遠方視と近方視の重要度が均等である場合は、その生活スタイルに応じて係数Ｋを０．５で入力することにより、遠方視と近方視の重要度が均等である装用者の生活スタイルに適した処方プリズムの眼鏡レンズを提供することができる。また、装用者の生活スタイルから遠方視の重要度が相対的に高い場合は、その生活スタイルに応じて係数Ｋを０．５未満の値で入力することにより、遠方視の重要度が相対的に高い装用者の生活スタイルに適した処方プリズムの眼鏡レンズを提供することができる。また、装用者の生活スタイルから近方視の重要度が相対的に高い場合は、係数Ｋを０．５よりも大きい値で入力することにより、近方視の重要度が相対的に高い装用者の生活スタイルに適した処方プリズムの眼鏡レンズを提供することができる。
【００５０】
ちなみに、係数Ｋの値については、装用者の生活スタイルに応じた値で入力する以外にも、次のような基準にしたがって入力してもよい。すなわち、固視ずれのある装用者が、眼鏡レンズの装用によって固視ずれを解消する場合、通常であれば、遠方視の固視ずれの解消よりも近方視の固視ずれの解消を重要視する。その理由は、眼鏡レンズを通して装用者が物を見る場合、固視ずれが原因で見え方が悪いと実感するのは、遠方視よりも近方視のほうだからである。このため、係数Ｋの値については、近方視を重要視して、０．５よりも大きい値、具体的には０．７５などの値で入力することが好ましい。また、係数Ｋを入力するにあたっては、Ｋ＝０．７５を基準にして、装用者の生活スタイルに応じて係数Ｋの入力値を調整（加減）してもよい。
【００５１】
なお、係数Ｋの値の範囲は、上記の例だと０≦Ｋ≦１．０としたが、上記の（数１）において得るべきアライニングプリズム量が、第１のプリズム量そのもの、または、第２のプリズム量そのものにならないように、Ｋの値を設定（例えば０＜Ｋ＜１．０に設定）しても構わない。
【００５２】
＜６．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００５３】
たとえば、上記実施の形態においては、６つの生活シーンを例示して、各々の生活シーンにつき、装用者の生活スタイルに基づく重要度の指数を３つにランク分けして入力するものとしたが、入力の対象とする生活シーンの数や重要度の指数のランク数は、必要に応じて適宜、変更することが可能である。また、第１のプリズム量および第２のプリズム量の配分に用いる情報としては生活シーンに関する情報が非常に好ましいが、それ以外の情報であっても構わない。例えば、装用者の趣味や職業に応じて第１のプリズム量および第２のプリズム量の配分量を決定しておいても構わない。
【００５４】
また、上記実施の形態においては、測定情報入力手段により入力される測定情報の一例として、遠方視で測定したプリズム量（第１のプリズム量）と近方視で測定したプリズム量（第２のプリズム量）を入力する場合について説明したが、これに限らない。すなわち、測定情報としては、遠方視で測定したプリズム量と近方視で測定したプリズム量を入力する場合のほかに、固視ずれを矯正するためのアライニングプリズムを測定するのではなく、装用者の固視ずれ量を直接測定することによって遠方視で測定した固視ずれ量（第１の固視ずれ量）と近方視で測定した第２の固視ずれ量を入力する場合が考えられる。測定情報として固視ずれ量を入力する場合は、入力した固視ずれ量から計算によってプリズム量を求めることにより、上記のプリズム処方範囲を規定することができる。
なお、固視ずれ量から計算によってプリズム量を求める手法としては、固視ずれ量とプリズム量との関係が比例関係にあると仮定した上でプリズム量を求めても構わないし、複数の被検者に対して経験則的に固視ずれ量とプリズム量との関係を把握しておき、当該関係に基づいてプリズム量を求めても構わない。
【００５５】
また、固視ずれ量をデータ入力する場合は、たとえば、図６に示すような入力用画面を表示部７に表示し、この入力用画面を見ながら操作者（眼鏡店員など）が固視ずれ量の入力欄３１，３２をマウス等で順に選んで、対応するデータをキーボード等で入力する構成とすればよい。図中の遠方視固視ずれ量は、遠方視に相当する検眼距離で装用者のプリズム量を測定することにより得られる第１のプリズム量ＡＰＦ０を基に計算で得られる第１の固視ずれ量に相当し、図中の近方視固視ずれ量は、近方視に相当する検眼距離で装用者のプリズム量を測定することにより得られる第２のプリズム量ＡＰＮ０を基に計算で得られる第２の固視ずれ量に相当する。
【００５６】
また、上記実施の形態においては、装用者に眼鏡レンズの推奨タイプを提示するために、眼鏡レンズの推奨タイプを出力部１２が表示部７に出力することにより、表示部７の画面に推奨タイプを表示する構成としたが、本発明はこれに限らない。たとえば、眼鏡レンズの推奨タイプを出力部１２がプリンタ等の印刷装置に出力することにより、用紙等に推奨タイプを印刷する構成としてもよい。また、これ以外にも、眼鏡レンズの推奨タイプを出力部１２が発注側装置２とは別の携帯型情報端末に無線通信等により送信し、この携帯型情報端末の表示画面に推奨タイプを表示する構成としてもよい。
【００５７】
また、上記実施の形態においては、発注側装置２において固視ずれを矯正するためのアライメントプリズム量の計算を行う場合について述べたが、本発明はこれに限らない。たとえば、当該計算を受注側装置３で行っても構わないし、あるいは通信網４に接続された図示しないサーバ（データサーバなど）などに当該計算を行わせても構わない。当該計算を受注側装置３で行う場合、発注側装置２の入力部５により第１のプリズム量および第２のプリズム量を入力し、これらのプリズム量を受注側装置３へと送信した上で、受注側装置３にて、固視ずれを矯正するためのアライメントプリズム量を計算し、計算結果を発注側装置２へと送信する構成を採用しても構わない。
なお、先ほど述べた、固視ずれ量から計算によってプリズム量を求める手法に関しても、受注側装置３やその他の構成により当該手法を実行しても構わない。
【００５８】
また、上記実施の形態においては、遠方視に相当する検眼距離と、近方視に相当する検眼距離とを採用したが、本発明はこれに限らない。たとえば、遠方視と近方視との間の距離を見る中間視に相当する検眼距離と、近方視に相当する検眼距離とを採用しても構わない。この場合の眼鏡レンズはいわゆる「中近レンズ」と称される。その場合、上記実施の形態においては、上記の２つの距離は、「第１の距離」と「第１の距離より短い第２の距離」と表現可能である。
【００５９】
ちなみに上記の中近レンズにおいてアライメントプリズム量を求める具体的な例としては、以下のものが挙げられる。たとえば、中間視に相当する検眼距離としてＰＣのディスプレイと装用者との間の距離８０ｃｍとし、当該距離での第１のプリズム量を求める。それとともに、近方視に相当する検眼距離としてキーボードと装用者との間の距離４０ｃｍとし、当該距離での第２のプリズム量を求める。その上で、第１および第２のプリズム量の配分を生活シーンに関する情報に基づいて（例えば第１のプリズム量：第２のプリズム量＝７０：３０というように）決定する。
【００６０】
また、上記の例だと２つの距離において第１および第２のプリズム量を各々求めたが、３つめの距離を設定しても構わない。たとえば、遠方視に相当する検眼距離、中間視に相当する検眼距離、近方視に相当する検眼距離という３つの距離に応じ、プリズム量を求めても構わない。この場合、遠方視に相当する検眼距離が第１の距離、近方視に相当する検眼距離が第２の距離に該当し、中間視に相当する検眼距離が第３の距離に該当する。
そして、第１、第２および第３のプリズム量に対し、適宜重み付けを行い、固視ずれを矯正するために眼鏡レンズに一様に備えさせるアライニングプリズム量を、第１のプリズム量と第２のプリズム量との間のプリズム処方範囲内で決定しても構わない。
【符号の説明】
【００６１】
１…眼鏡レンズ供給システム
２…発注側装置
３…受注側装置
４…通信網
５…入力部
６…コンピュータ部
７…表示部
１１…決定部
１２…出力部
１３…発注処理部
１４…記憶部
【図１】
2015125847.tif 000007
【図２】
2015125847.tif 000008
【図３】
2015125847.tif 000009
【図４】
2015125847.tif 000010
【図５】
2015125847.tif 000011
【図６】
2015125847.tif 000012
【国際調査報告】
2015125847.tif 000013
2015125847.tif 000014
2015125847.tif 000015
2015125847.tif 000016